【事件の表示】
　特願２０１２−２５７３２３「電子ゲーム機能を有するスポーツ用電子トレーニングシステム及びそのアプリケーション」拒絶査定不服審判事件〔平成２５年５月２日出願公開、特開２０１３−７８５９３〕について、次のとおり審決する。
【結　論】
　本件審判の請求は、成り立たない。
【理　由】
第１　手続の経緯
　本願は，平成２０年８月１４日（パリ条約による優先権主張　外国庁受理　２００７年８月１７日　米国）を出願日とする出願である特願２００８−２０８９０３号の一部を，平成２４年１１月２６日に特願２０１２−２５７３２３号として出願したものであって，これまでの手続は次のとおりである
　平成２６年　２月２５日　拒絶理由通知
　平成２６年　６月　２日　意見書
　平成２７年　２月１３日　拒絶理由通知
　平成２７年　６月１９日　意見書・手続補正書
　平成２７年　９月　３日　拒絶理由通知
　平成２７年１２月１４日　意見書
　平成２８年　１月　４日　拒絶査定
　平成２８年　５月１２日　審判請求
　平成２９年　４月１４日　拒絶理由通知
　平成２９年　７月１８日　意見書
第２　当審の判断
　１　補正内容
　本願の請求項１に係る発明（以下「本願発明」という。）は，平成２７年６月１９日付けで補正された特許請求の範囲における，請求項１に記載された事項によって特定されるべきものであり，その記載は次のとおりである。
　「運動モニタと，
　前記運動モニタと無線通信する携帯型電子処理装置と
　を備えるスポーツ用電子システムであって，
　前記携帯型電子処理装置が，個人のエクササイズ中に個人にフィードバックを提供する仮想トレーナーを備え，該フィードバックがパフォーマンス目標と比較して前記個人のパフォーマンスを示し，
　前記携帯型電子処理装置が，エクササイズ後に電子ゲームとのインタラクションを行うプログラムを備える
　ことを特徴とするスポーツ用電子システム。」
　２　刊行物に記載された事項
　（１）刊行物１
　平成２９年４月１４日付け拒絶の理由に引用し，本願の優先日前である平成８年４月２３日に頒布された特開平８−１０３５６８号公報（以下「刊行物１」という。）には，図面とともに，以下の事項が記載されている。（下線は，当審で付与した。他の下線についても同じ。）
　ア「【０００６】
【作用】以上の構成よりなる「請求１」記載の本発明によれば，
歩いた距離や歩行速度などを演算して表示する万歩計
　イ「【０００７】
【実施例】以下，本発明に係る運動量入力機能付ゲーム機の一実施例を図面に基づいて説明する。図１は本発明に係る運動量入力機能付ゲーム機の一実施例を示す斜視図，図２は本発明に係る運動量入力機能付ゲーム機の基本的回路構成を示す回路ブロック図，図３は図２で示したコントロール手段（ＣＰＵ）のアルゴリズムを示すチャート図である。図１で示すように，
万歩計Ｂには本体部１に表示部２及び送・受信機３が装着されている。また，本体部１は，万歩計Ｂを取りつけた人或いは，動物が動いた歩数や運動量を演算する演算手段が内蔵されていて，その演算手段に上記送・受信機３が連繋され，演算手段が演算した人或いは，動物が動いた歩数や運動量を後述する加速センサー８で入力し送・受信機３により，ゲーム器Ａの送・受信機４に送信するように設定されている。
万歩計Ｂには，加速センサー８とカウンタ９及びＣＰＵ１０，メモリ１１が設けられている。更に，万歩計Ｂには，送・受信機３として用いられる受光センサー１２及び発光素子１３が取りつけられていて，内部の運動量計測器をつかさどる加速センサー８によって測定された運動量のデータを送信し，運動量のデータの送信が完了すると受信完了信号を受信するようになっている。
ゲーム機Ａによりゲームをスタートする。ステップ２００では，プログラムソフトが指定されるとともに，万歩計Ｂの運動量データを入力するか否かが問われる。ＮＯの場合には，ゲームの進行に従いゲーム機Ａでプログラムされているプログラムソフトが指定され，ゲームを進めていく内に，例えばプログラムされているお供の動物（犬，猿，キジ）が登場し，更にゲームを進めるに従い主人公とお供の動物のレベルがあがる。そこで，ステップ２０１に移行すると，レベルアップした度合いに応じて主人公とお供の動物のレベルがあがる。
ゲームを一時終了し，ゲーム機Ａから離れねばならない時万歩計Ｂを自分の体に装着する。このとき，犬，猿，キジを飼っている家庭であればこれらの動物にも万歩計Ｂを取り付ける。また，それらの動物を飼っていない家庭であれば，家族をそれらの動物に見立てて万歩計Ｂを装着してもらう。万歩計Ｂを装着した本人や家族がそれぞれ活動する間，万歩計Ｂにステップ１００からステップ１０３の順序で運動量データが蓄積されていく。
しばらくしてゲームを再開するとき装着した万歩計Ｂを回収し，得られたデータを対応するゲーム機Ａ内にプログラムされているキャラクタに転送する。そこで，ゲーム機Ａは，受信した万歩計Ｂのデータに従い，それぞれのキャラクタのレベルを上げるための確認が行われる。
　刊行物１の上記記載事項を含め，刊行物１の全記載を総合すると，刊行物１には以下の事項（以下，「刊行物１発明」という。）が記載されていると認められる。
　「加速センサー８，カウンタ９，ＣＰＵ１０，メモリ１１，受光センサー１２及び発光素子１３が設けられた，歩いた距離や歩行速度などを演算して表示する万歩計Ｂであって，
　万歩計Ｂの本体部１に表示部２及び送・受信機３が装着されるとともに，万歩計Ｂを取りつけた人或いは，動物が動いた歩数や運動量を演算する演算手段が内蔵され，
　万歩計Ｂは，内部の運動量計測器をつかさどる加速センサー８によって測定された運動量のデータを受光センサー１２及び発光素子１３からなる送・受信機３により，ゲーム器Ａの送・受信機４に送信し，運動量のデータの送信が完了すると受信完了信号を受信するようになっており，
　ゲーム機Ａによりゲームをスタートし，プログラムソフトが指定されると，万歩計Ｂの運動量データを入力するか否かが問われ，ＮＯの場合には，ゲームの進行に従いゲーム機Ａでプログラムされているプログラムソフトが指定され，ゲームを進めるに従い主人公とお供の動物のレベルがあがり，ゲームを一時終了し，ゲーム機Ａから離れねばならない時，万歩計Ｂを自分の体，又は，犬，猿，キジを飼っている家庭であればこれらの動物，又は，家族に装着してもらい，万歩計Ｂを装着した本人や家族がそれぞれ活動する間，万歩計Ｂに運動量データが蓄積されていき，しばらくしてゲームを再開するとき装着した万歩計Ｂを回収し，万歩計Ｂの得られたデータを対応するゲーム機Ａ内にプログラムされているキャラクタに転送し，ゲーム機Ａは，受信した万歩計Ｂのデータに従い，それぞれのキャラクタのレベルを上げるための確認が行われる運動量入力機能付ゲーム機。」
　（２）刊行物３
　平成２９年４月１４日付け拒絶の理由に引用し，本願の優先日前である平成１８年９月２１日に頒布された特開２００６−２４７２１９号公報（以下「刊行物３」という。）には，図面とともに，以下の事項が記載されている。
　ウ「【００１５】
　図１は，本形態のペース調整装置において，特にその使用態様を図示したものである。
このペース調整装置は，本体１００とイヤーピース部２００の２つのデバイスにより構成されている。本体１００は使用者１の腰に取り付けることのできる程度の大きさを有し，ジョギング等の運動を行っている最中でもその位置がずれることの無いように固定されている。イヤーピース部２００は利用者の耳に取り付けることのできる程度の大きさを有し，ジョギング等の運動を行っている使用者１の脈拍を測るように機能する。本体１００とイヤーピース部２００はブルートゥースによる通信システムを利用して互いに所定の情報を送受信することができる。
【００１６】
　図２は，本体１００の構成を示したブロック図である。
本体１００は，電源投入ボタン１０１，スタートボタン１０２，操作部１０３，時計部１０４，ＧＰＳ情報受信部１０５，無線受信部１０６，無線発信部１０７，表示部１０８，外部ＰＣ(personal computer) Ｉ／Ｆ部１０９，ＣＰＵ(central processing unit)１１０，ＲＯＭ(read only memory)１１１，バイオ情報格納部１１２，バイオ情報解析部１１３，コース情報格納部１１４，コース情報解析部１１５，ペースメーカ情報生成部１１６，音声情報生成部１１７，振動情報生成部１１８を有して構成されている。
　エ「【００１９】
　
表示部１０８は使用者１が操作部１０３より入力した情報や，後述するトレーニングのペースの調整に関する情報であるペースメーカ情報を表示する機能を有する。
　オ「【００２１】
　バイオ情報格納部１１２は使用者１の身体的特徴をあらわすバイオ情報を格納する機能を有する。使用者１の身体的特徴としては，例えば，使用者の身長，体重，年齢，基礎代謝能力，体脂肪率，運動中の脈拍・血圧・単位時間当たりの呼吸回数・血中酸素濃度などがある。
バイオ情報解析部１１３は後述するイヤーピース部２００から受信する使用者１の脈拍に関する情報，バイオ情報格納部１１２に格納されているバイオ情報に基づいて，トレーニングを行っている使用者の状態を解析する機能を有する。
　カ「【００２３】
　
ペースメーカ情報生成部１１６はバイオ情報解析部１１３による解析結果とコース情報格納部１１４による解析結果に基づいて，ペースメーカ情報を生成する機能を有する。ペースメーカ情報に係るペースの調整の具体的なものは走行速度・ピッチ・ジョギングフォームなどがある。
【００２４】
　図３は，イヤーピース部２００の構成を示したブロック図である。
イヤーピース部２００は，電源投入ボタン２０１，脈拍センサ２０２，無線発信部２０３，無線受信部２０４，音声制御部２０５，イヤホン２０６，振動制御部２０７，モータ２０８を有して構成されている。
【００２５】
　電源投入ボタン２０１はイヤーピース部２００の電源を投入または切断するボタンである。脈拍センサ２０２は使用者１の耳と接触しており，脈拍を測る機能を有する。
無線発信部２０３，無線受信部２０４はそれぞれブルートゥースによる通信システムを利用して，本体１００と所定の情報を送信，受信する機能を有する。
【００２６】
　
音声制御部２０５は本体１００より受信した音声情報をイヤホン２０６に出力させるように制御する機能を有する。
【００２７】
　振動制御部２０７は本体１００より受信した振動情報をモータ２０８に出力させるように制御する機能を有する。モータ２０８は振動制御部２０７の制御のもと，駆動してイヤーピース部２００全体を振動させる。」
　キ「【００３５】
　
なお，ジョギングのペースにおいて，ペースメーカ情報生成部１１６が生成したペースメーカ情報（走行速度・ピッチ・ジョギングフォームなど）を絶えず表示部１０８に表示しておくようにすると良い。
基準とするペースを予めＰＣのような外部端末にて，ペースメーカ情報として作成し，それらを所定の記憶素子に記憶させるようにすると良い。その基準とずれたペースでジョギングしていたらアラームを通知する形態を採ると良い。
　刊行物３の上記記載事項を含め，刊行物３の全記載を総合すると，刊行物３には以下の事項（以下，「刊行物３発明」という。）が記載されていると認められる。
　「本体１００とイヤーピース部２００の２つのデバイスにより構成されるペース調整装置であって，
　使用者１の腰に取り付ける本体１００と，利用者の耳に取り付けるイヤーピース部２００はブルートゥースによる通信システムを利用して互いに所定の情報を送受信することができ，
　本体１００は，電源投入ボタン１０１，スタートボタン１０２，操作部１０３，時計部１０４，ＧＰＳ情報受信部１０５，無線受信部１０６，無線発信部１０７，表示部１０８，外部ＰＣ(personal computer) Ｉ／Ｆ部１０９，ＣＰＵ(central processing unit)１１０，ＲＯＭ(read only memory)１１１，バイオ情報格納部１１２，バイオ情報解析部１１３，コース情報格納部１１４，コース情報解析部１１５，ペースメーカ情報生成部１１６，音声情報生成部１１７，振動情報生成部１１８を有するものであって，
　上記表示部１０８は使用者１が操作部１０３より入力した情報や，後述するトレーニングのペースの調整に関する情報であるペースメーカ情報を表示する機能を有し，
　上記バイオ情報解析部１１３は後述するイヤーピース部２００から受信する使用者１の脈拍に関する情報，バイオ情報格納部１１２に格納されているバイオ情報に基づいて，トレーニングを行っている使用者の状態を解析する機能を有し，
　上記ペースメーカ情報生成部１１６はバイオ情報解析部１１３による解析結果とコース情報格納部１１４による解析結果に基づいて，走行速度・ピッチ・ジョギングフォームなどのペースメーカ情報を生成する機能を有し，
　イヤーピース部２００は，電源投入ボタン２０１，脈拍センサ２０２，無線発信部２０３，無線受信部２０４，音声制御部２０５，イヤホン２０６，振動制御部２０７，モータ２０８を有するものであって，
　無線発信部２０３，無線受信部２０４はそれぞれブルートゥースによる通信システムを利用して，本体１００と所定の情報を送信，受信する機能を有し，　
　音声制御部２０５は本体１００より受信した音声情報をイヤホン２０６に出力させるように制御する機能を有し，
　ペースメーカ情報生成部１１６が生成したペースメーカ情報（走行速度・ピッチ・ジョギングフォームなど）を絶えず表示部１０８に表示することができ，
　基準とするペースを予めＰＣのような外部端末にて，ペースメーカ情報として作成し，それらを所定の記憶素子に記憶させて，その基準とずれたペースでジョギングしていたらアラームを通知するペース調整装置。」
　（３）刊行物４
　平成２９年４月１４日付け拒絶の理由に引用し，本願の優先日前である平成１７年８月２５日に頒布された特開２００５−２２４３１８号公報（以下「刊行物４」という。）には，図面とともに，以下の事項が記載されている。
　ク「【００２８】
　図１に，本発明の実施の形態によるペースメーカーの構成例を模式的に示す。
ペースメーカー１は，走者の運動及び体調に関する諸情報を検出するためのセンサを有するセンサ部２，センサ部２で検出された諸情報に基づいて演算処理を行い，タイミング信号を生成する本体部３，本体部３で生成されたタイミング信号に基づいて走者が認識可能な誘導信号を生成する刺激発生部４を備える。
【００２９】
　
走者６は，例えば，手首や足首等にセンサ部２をそれぞれバンドで装着し，腰に本体部３をベルトで装着し，頭に刺激発生部４としてのヘッドホンを装着する。
　ケ「【００３１】
　図２に本実施の形態によるペースメーカー１内部の構成例を示す。
センサ部２は走者の運動及び体調に関する諸情報を検出するためのセンサを有するもので，運動検出部２１，距離検出部２２，生理情報検出部２３および信号出力部２４を有する。」
　コ「【００３５】
　
信号出力部２４では，運動検出部２１，距離検出部２２および生理情報検出部２３で検出した情報に，必要ならノイズ除去などの適切な前処理を施し，本体部３に送出する。この信号の送出には，各センサの装着位置などに応じて有線あるいは無線を用いる。
　サ「【００３６】
　図３に本実施の形態による本体部の構成例を示す。
本体部３は，センサ部２で検出された諸情報に基づいて演算処理を行い，タイミング信号を生成する。すなわち，センサ部２で検出された運動情報や生理情報に基づいて，目標とする走行ピッチ，走行距離，スピード，運動負荷を実現するためのタイミング制御を行ない
　シ「【００５８】
　
刺激発生部４は，本体部３から出力されたタイミング信号に従ってリズム音などの誘導信号を発生し，イヤホン，ヘッドホンやスピーカなどを用いて走者に提示する。
走者に，走行距離，スピードなどのデータや，気温，風力などの気象情報，目印などの地理情報を，手首にバンドで小型ディスプレイを取り付けて表示
　ス「【００６７】
　（ｅ）一般トレーニングであれば，例えば，その時のトレーニングについて，
天候，体調を考慮し，過去のデータを参照して，走行距離及びスピードの目標値を時間の関数として設定する。そして，走行距離データ又はスピードデータの目標値と測定値とに差異が生じた場合には，現在のピッチ及び走行距離又はスピードの測定値から，現在のピッチを所定のピッチに変えれば目標の走行距離又はスピードになるように（走行距離の場合は所定時間後に），所定のピッチを演算し，そのピッチのタイミング信号を生成し，出力部３７から刺激発生部４に送信する。
　刊行物４の上記記載事項を含め，刊行物４の全記載を総合すると，刊行物４には以下の事項（以下，「刊行物４発明」という。）が記載されていると認められる。
　「走者の運動及び体調に関する諸情報を検出するためのセンサを有するセンサ部２，センサ部２で検出された諸情報に基づいて演算処理を行い，タイミング信号を生成する本体部３，本体部３で生成されたタイミング信号に基づいて走者が認識可能な誘導信号を生成する刺激発生部４からなるペースメーカー１であって，
　走者６は，例えば，手首や足首等にセンサ部２をそれぞれバンドで装着し，腰に本体部３をベルトで装着し，頭に刺激発生部４としてのヘッドホンを装着し，
　センサ部２の信号出力部２４は，運動検出部２１，距離検出部２２および生理情報検出部２３で検出した情報を，無線で本体部３に送出し，
　本体部３は，センサ部２で検出された運動情報や生理情報に基づいて，目標とする走行ピッチ，走行距離，スピード，運動負荷を実現するためのタイミング制御を行ない，刺激発生部４にリズム音又は音楽等のリズム刺激による誘導信号を発生させ，走者の走行をコントロールするものであって，
　刺激発生部４は，本体部３から出力されたタイミング信号に従ってリズム音などの誘導信号を発生し，イヤホン，ヘッドホンやスピーカなどを用いて走者に提示するものであって，走行距離，スピードなどのデータや，気温，風力などの気象情報，目印などの地理情報を，手首にバンドで小型ディスプレイを取り付けて表示することが可能であり，
　本体部３は，天候，体調を考慮し，過去のデータを参照して，走行距離及びスピードの目標値を時間の関数として設定し，走行距離データ又はスピードデータの目標値と測定値とに差異が生じた場合には，現在のピッチ及び走行距離又はスピードの測定値から，現在のピッチを所定のピッチに変えれば目標の走行距離又はスピードになるように，所定のピッチを演算し，そのピッチのタイミング信号を生成し，出力部３７から刺激発生部４に送信するペースメーカー１。」
　３　対比
　本願発明と刊行物１発明とを対比する。
　後者の「万歩計Ｂ」は，「運動量計測器をつかさどる加速センサー８」，「人或いは，動物が動いた歩数や運動量を演算する演算手段」，及び「ゲーム機Ａと送受信を行う送・受信機３」を有していること，万歩計Ｂを装着した本人や家族や動物がそれぞれ活動する間万歩計Ｂに蓄積された運動量データを対応するゲーム機Ａ内にプログラムされているキャラクタに転送し，ゲーム機Ａは，受信した万歩計Ｂのデータに従い，それぞれのキャラクタのレベルを上げているものである。
　したがって，後者の「万歩計Ｂ」は，運動量のデータを測定する加速センサー８を有する点において，前者の「運動モニタ」に相当する機能部分を有していることは自明であるから、両者は運動モニタ機能との概念で共通する。
　また，後者の「万歩計Ｂ」は，万歩計Ｂによって得られた運動量データを対応するゲーム機Ａ内にプログラムされているキャラクタに転送し，ゲーム機Ａは受信した万歩計Ｂのデータに従い，それぞれのキャラクタのレベルを上げている点，及び，万歩計Ｂを取りつけた人或いは，動物が動いた歩数や運動量を演算する点において，前者の「携帯型電子処理装置」に相当する機能を有することは自明であり，万歩計Ｂによって得られたデータを対応するゲーム機Ａ内にプログラムされているキャラクタに転送する際に必要な「プログラム」を備えることも自明である。
　したがって，後者の「万歩計Ｂ」は，前者の「携帯型電子処理装置」に相当する機能部分を有していることは自明であるから、両者は携帯型電子処理装置機能との概念で共通する。
　後者の「万歩計Ｂ」において，「運動モニタ」に相当する機能を有する構成と，「携帯型電子処理装置」に相当する機能を有する構成が協働していることは明らかであって，これを踏まえると，後者の「万歩計Ｂ」は，前者の「スポーツ用電子システム」に相当するといえる。
　後者の「万歩計Ｂ」は，歩いた距離や歩行速度などを演算して表示しており，万歩計の技術常識を踏まえると，「歩いた距離や歩行速度などの表示」は，個人のエクササイズ中においても，個人のパフォーマンスとして示していることは，自明である。
　以上のことより，両者は，
〈一致点〉
　「運動モニタ機能と，
　携帯型電子処理装置機能と
　を備えるスポーツ用電子システムであって，
　個人のエクササイズ中に前記個人のパフォーマンスを示し，
　エクササイズ後に電子ゲームとのインタラクションを行うプログラムを備えるスポーツ用電子システム。」
　である点で一致し，以下の点で相違している。
＜相違点＞
　相違点１
　本願発明は「運動モニタ」と「携帯型電子処理装置」が無線通信を行っており，無線通信を行っている以上「運動モニタ」と「携帯型電子処理装置」とは別体であると考えられるが，刊行物１発明の「運動モニタに相当する機能部分」は運動量のデータを測定し，「携帯型電子処理装置に相当する機能部分」は該運動量のデータを演算するのであるから，両者の間に何らかのデータの通信が行われていることは自明であるが，無線通信であるかについては不明であり，「運動モニタに相当する機能部分」と「携帯型電子処理装置に相当する機能部分」とが一体となった万歩計である点。
　相違点２
　本願発明は，携帯型電子処理装置において，「個人のエクササイズ中に個人にフィードバックを提供する仮想トレーナーを備え，該フィードバックがパフォーマンス目標と比較して前記個人のパフォーマンスを示」しているのに対して，刊行物１発明では，万歩計Ｂにおいて，個人のエクササイズ中に当該個人のパフォーマンスを示しているものの，「携帯型電子処理装置に相当する機能部分」において表示しているかについては不明であり，「個人にフィードバックを提供する仮想トレーナーを備え，該フィードバックがパフォーマンス目標と比較して前記個人のパフォーマンスを示」すものではない点。
　４．判断
　上記相違点について検討する。
　（１）刊行物１発明と刊行物３発明
　ア　相違点１について
　刊行物３発明における「本体１００」，「イヤーピース部２００」，及び「ペース調整装置」は，本願発明の「携帯型電子処理装置」，「運動モニタ」，及び「スポーツ用電子システム」に，それぞれ相当し，「本体１００」と「イヤーピース部２００」とは「ブルートゥースによる通信システムを利用して，所定の情報を送信，受信する機能」を有しているから，刊行物３発明は「運動モニタと携帯型電子処理装置とが無線通信」しており，「運動モニタ」と「携帯型電子処理装置」とは別体であるといえる。
　したがって，刊行物３発明には相違点１に係る本願発明の発明特定事項が記載されている。
　ここで，刊行物１発明も刊行物３発明も，本願発明と同じ「スポーツ用電子システム」に関する発明であって，刊行物１発明の「スポーツ用電子システム」に，刊行物３発明に記載の無線通信によって結ばれた別体の「運動モニタ」と「携帯型電子処理装置」を適用して，相違点１に係る本願発明の発明特定事項とすること何ら技術的困難性はなく，本願発明において格別の作用，効果を奏するものではない。
　よって，相違点１に係る本願発明の構成は，刊行物１発明と刊行物３発明とから，当業者が容易に想到し得たものである。
　イ　相違点２について
　刊行物３発明は，イヤーピース部２００から受信する使用者１の脈拍に関する情報，バイオ情報格納部１１２に格納されているバイオ情報に基づいて，トレーニングを行っている使用者の状態を解析し，ペースメーカ情報生成部１１６はバイオ情報解析部１１３による解析結果とコース情報格納部１１４による解析結果に基づいて，走行速度・ピッチ・ジョギングフォームなどのペースメーカ情報を生成し，ペースメーカ情報生成部１１６が生成したペースメーカ情報（走行速度・ピッチ・ジョギングフォームなど）を絶えず，本体１００に設けられた表示部１０８に表示し，基準とするペースを予めＰＣのような外部端末にて，ペースメーカ情報として作成し，それらを所定の記憶素子に記憶させて，その基準とずれたペースでジョギングしていたらアラームを通知するものである。
　したがって，刊行物３発明は「携帯型電子処理装置」において，「個人のエクササイズ中に個人にフィードバックを提供する仮想トレーナーを備え，該フィードバックがパフォーマンス目標と比較して前記個人のパフォーマンスを示」しているといえ，刊行物３発明には相違点２に係る本願発明の発明特定事項が記載されている。
　ここで，刊行物１発明も刊行物３発明も，本願発明と同じ「スポーツ用電子システム」に関する発明であることは，「ア　相違点１について」で述べたとおりである。
　そして，刊行物１発明の「エクササイズ後に電子ゲームとのインタラクションを行うプログラムを備える携帯型電子処理装置」において，刊行物３発明の「個人のエクササイズ中に個人にフィードバックを提供する仮想トレーナーを備え，該フィードバックがパフォーマンス目標と比較して前記個人のパフォーマンスを示」すことを適用した場合，該適用したものの作用効果からみて，格別の作用効果，つまりそれぞれの発明が有する作用効果の総和以上の作用効果を奏するものではない。
　よって，刊行物１発明の「携帯型電子処理装置」に，「個人のエクササイズ中に個人にフィードバックを提供する仮想トレーナーを備え，該フィードバックがパフォーマンス目標と比較して前記個人のパフォーマンスを示」す刊行物３発明を用いて，相違点２に係る本願発明の発明特定事項とすること何ら技術的困難性はなく，相違点２に係る本願発明の構成は，刊行物１発明と刊行物３発明とから，当業者が容易に想到し得たものである。
　また，本願発明の発明特定事項全体によって奏される作用効果も，刊行物１及び３発明から，当業者が予測しうる程度のものである。
　（２）刊行物１発明と刊行物４発明
　ア　相違点１について
　刊行物４発明における「本体部３」，「刺激発生部４」及び「センサ部２」からなる「ペースメーカー１」は，本願発明の「スポーツ用電子システム」に相当する。
　刊行物４発明における「「センサ部２」は，走者の運動及び体調に関する諸情報を検出するためのセンサであるから，本願発明の「運動モニタ」に相当する。
　刊行物４発明における「本体部３」は，センサ部２で検出された諸情報に基づいて演算処理するものであり，「刺激発生部４」は，本体部３で生成されたタイミング信号に基づいて走者が認識可能な誘導信号を生成し，走行距離，スピードなどのデータや，気温，風力などの気象情報，目印などの地理情報を，手首にバンドで小型ディスプレイを取り付けて表示することも可能としているから，刊行物４発明における「本体部３」及び「刺激発生部４」は，本願発明の「携帯型電子処理装置」に相当する。
　そして，刊行物４発明における「センサ部２」は「無線を利用して，運動検出部２１，距離検出部２２および生理情報検出部２３で検出した情報を本体部３に送信する機能」を有しているから，刊行物４発明は「運動モニタと携帯型電子処理装置とが無線通信」しており，「運動モニタ」と「携帯型電子処理装置」とは別体であるといえる。
　したがって，刊行物４発明には相違点１に係る本願発明の発明特定事項が記載されている。
　ここで，刊行物１発明も刊行物４発明も，本願発明と同じ「スポーツ用電子システム」に関する発明であって，刊行物１発明の「スポーツ用電子システム」に，刊行物４発明のような無線通信によって結ばれた別体の「運動モニタ」と「携帯型電子処理装置」を適用して，相違点１に係る本願発明の発明特定事項とすること何ら技術的困難性はなく，本願発明において格別の作用，効果を奏するものではない。
　よって，相違点１に係る本願発明の構成は，刊行物１発明と刊行物４発明とから，当業者が容易に想到し得たものである。
　イ　相違点２について
　刊行物４発明は，センサ部２で検出された運動情報や生理情報に基づいて，目標とする走行ピッチ，走行距離，スピード，運動負荷を実現するためのタイミング制御を行ない，本願発明の「携帯型電子処理装置」の一部に相当する刺激発生部４にリズム音又は音楽等のリズム刺激による誘導信号を発生させ，走者の走行をコントロールするものであって，走行距離，スピードなどのデータを表示することも可能である。
　したがって，刊行物４発明は「携帯型電子処理装置」において，「個人のエクササイズ中に個人にフィードバックを提供する仮想トレーナーを備え，該フィードバックがパフォーマンス目標と比較して前記個人のパフォーマンスを示」しているといえ，刊行物４発明には相違点２に係る本願発明の発明特定事項が記載されている。
　ここで，刊行物１発明も刊行物４発明も，本願発明と同じ「スポーツ用電子システム」に関する発明であることは，「ア　相違点１について」で述べたとおりである。
　そして，刊行物１発明の「エクササイズ後に電子ゲームとのインタラクションを行うプログラムを備える携帯型電子処理装置」において，刊行物４発明の「個人のエクササイズ中に個人にフィードバックを提供する仮想トレーナーを備え，該フィードバックがパフォーマンス目標と比較して前記個人のパフォーマンスを示」すことを適用した場合，該適用したものの作用効果からみて，格別の作用効果，つまりそれぞれの発明が有する作用効果の総和以上の作用効果を奏するものではない。
　よって，刊行物１発明の「携帯型電子処理装置」に，「個人のエクササイズ中に個人にフィードバックを提供する仮想トレーナーを備え，該フィードバックがパフォーマンス目標と比較して前記個人のパフォーマンスを示」す刊行物３発明を用いて，相違点２に係る本願発明の発明特定事項とすること何ら技術的困難性はなく，相違点２に係る本願発明の構成は，刊行物１発明と刊行物４発明とから，当業者が容易に想到し得たものである。
　また，本願発明の発明特定事項全体によって奏される作用効果も，刊行物１及び４発明から，当業者が予測しうる程度のものである。
　第３　むすび
　以上のとおり，本願発明は，刊行物１及び３発明，又は刊行物１及び４発明に基づいて，当業者が容易に発明をすることができたものであり，特許法第２９条第２項の規定により特許を受けることができない。
　したがって，本願は，他の請求項について検討するまでもなく，拒絶されるべきものである。
　よって，結論のとおり審決する。